(57)【要約】      （修正有）【解決手段】ハンガー本体１１にフック具３０を設置した衣類用ハンガーであり、前記ハンガー本体の周面全体に弾性樹脂２０をコーティングしたもの。【効果】弾性樹脂２０による滑り止め作用によってハンガーにおける衣類の滑りを防止することができる。滑り止め効果が充分であるため、シャツが捩れて型崩れしたり、ハンガーからずり落ちたりすることはない。塗装した表面は滑らかであり、ベルベット状の手触りによってその感触が向上するとともに見た目も向上し日用品としての使用価値が高まる。滑り止めのための突起物がないため取扱いがしやすい。簡易なコーティング作業のみで滑り止め効果を奏することができるため生産コストを低額化できる。【選択図】図１
2013070700.tif 000002
【特許請求の範囲】
【請求項１】
ハンガー本体にフック具を設置した衣類用ハンガーにおいて、前記ハンガー本体の周面全体に弾性樹脂をコーティングしたことを特徴とする衣類用ハンガー。
【請求項２】
前記ハンガー本体としてシャツハンガー本体とズボンハンガー本体とからなり、前記シャツハンガー本体の中心部底面に掛け止め具を設置し、この掛け止め具に前記ズボンハンガーのフック具を係止可能にしたことを特徴とする請求項１の衣類用ハンガー。
【請求項３】
前記シャツハンガー本体の両肩先よりも上方に前記ズボンハンガーを係止可能としたことを特徴とする請求項２の衣類用ハンガー。
【発明の詳細な説明】
【技術分野】
【０００１】
この発明は衣類用ハンガーに関し、掛けた衣類のずり落ちを防止する際に使用される。
【背景技術】
【０００２】
この種のハンガーはその両肩部が傾斜しているため、例えばシャツ等を掛けた際に滑って、シャツ等が捩れて型崩れしたり、ハンガーからずり落ちたりしやすいという欠点を有していた。
このため、この種のハンガーにあっては、この欠点を克服し、衣類をきちっと正しく掛ける必要上、滑り止め効果が必然的に要求された。
【０００３】
従来における滑り止めを図ったハンガーとして、ハンガー本体に、ゴム粉やプラスチックチップを混入した樹脂を塗布し、そのざらざらした表面によって掛けた衣類のずり落ちを防止するもの、又、突起物等によって衣類の滑り止めを防止するものが存在した。
【０００４】
【特許文献１】実開平６−６２８８３号公報
【特許文献２】実開昭６３−７１７７７号公報
【特許文献２】実開昭６３−７１７７８号公報
【特許文献２】実開昭６３−７１７７９号公報
【発明の開示】
【発明が解決しようとする課題】
【０００５】
しかしながら、前記従来ハンガーにあっては滑り止め効果が不充分で役に立たず、その上、塗装した表面がざらざらであったため、手触りが悪いとともに見た目が悪く、この結果、日用品として使用しにくく、又、後記従来ハンガーにあっては、突起物が邪魔をして取扱いにくいという不都合（第一の不都合）を有した。
【０００６】
さらに、ズボンハンガーが別体のものにあっては、クローゼット等にシャツハンガーとは全く別々に掛け止めされていたため、掛け止めするにあたって、これらが一体のものよりも倍の空間を必要とするという不都合（第二の不都合）を有した。
この発明の課題はこれらの不都合を解消することである。
【課題を解決するための手段】
【０００７】
発明者は上記不都合解消するために鋭意研究した。そして、弾性樹脂に着目し、この樹脂をハンガー本体の周面全体にコーティングすることによって、滑り止め効果が充分であり、その上、ベルベット状の手触りが良いとともに見た目が良く、更に、突起物がないため取扱いが容易である衣類用ハンガーを完成した。
【０００８】
さらに、第二の不都合を解消するために、上記衣類用ハンガーにおいて、前記ハンガー本体をシャツハンガー本体とズボンハンガー本体とから構成し、前記シャツハンガー本体の中心部底面に掛け止め具を設置し、この掛け止め具に前記ズボンハンガーのフック具を係止可能にした。
【発明の効果】
【０００９】
この発明に係る衣類用ハンガーは上記のように構成されているため、即ち、ハンガー本体にフック具を設置した衣類用ハンガーにおいて、前記ハンガー本体の周面全体に弾性樹脂をコーティングしたものであるため、従来のように樹脂にゴム粉やプラスチックチップを混入しなくても、又、滑り止め用の突起物を設けなくても、この弾性樹脂による滑り止め作用によってハンガーにおける衣類の滑りを防止することができるものである。
【００１０】
よって、この衣類用ハンガーを使用すれば、滑り止め効果が充分であるため、シャツ（衣類）を掛けた際に滑って、シャツが捩れて型崩れしたり、ハンガーからずり落ちたりすることはなく、その上、塗装した表面は滑らかであり、ベルベット状の手触りによってその感触が向上するとともに見た目も向上し、日用品としての使用価値が高まるものである。更に、滑り止めのための突起物がないため、使用者は取扱いがしやすいものである。
又、この衣類用ハンガーにあっては、簡易なコーティング作業のみで滑り止め効果を奏することができるため、生産コストを低額化することができ、より多くの消費者に供給することができる。
【００１１】
又、この発明に係る衣類用ハンガーにおいて、前記ハンガー本体をシャツハンガー本体とズボンハンガー本体とから構成し、前記シャツハンガー本体の中心部底面に掛け止め具を設置し、この掛け止め具に前記ズボンハンガーのフック具を係止可能にすれば、ズボンハンガーが別体であっても、各々を別々に使用することができる以外に、シャツハンガーに掛けた上着類の内側に、ズボンハンガーを配置することができるため、クローゼット等に掛け止めするにあたって、シャツハンガーが必要とする空間のみで間に合う結果、従来よりも場所を採らずに有効に整理しやすいものである。このように、シャツハンガーとズボンハンガーが各々独立した用途を持ちながら、必要時には全体を一組として有効利用することができるものである。
【００１２】
このように、脱衣時において、まず上着を脱ぎシャツハンガーに掛けた後に、ズボン（又はスカート等ボトム）を脱ぐという人の習慣においては、脱いだズボン（又はスカート等ボトム）を別途にズボンハンガーに掛け、このズボンハンガーをシャツハンガーに掛け止めするというこの発明の衣類用ハンガーの利用性は極めて高いものである。
【００１３】
この場合、前記シャツハンガー本体の両肩先よりも上方に前記ズボンハンガーを係止可能にすれば、前記シャツハンガーが占めるスペース内にズボンハンガーをも収めることができ、一組のハンガーとしてコンパクトに取り扱うことができる。
【発明を実施するための最良の形態】
【００１４】
この発明に係る衣類用ハンガーは実施するにあたって下記の構成に最も主要な特徴を有する。
【００１５】
弾性樹脂としては、酢酸化合物を含むウレタン樹脂、ゴム系合成樹脂、ポリエステル樹脂等が該当する。又、酢酸化合物としては酢酸丁脂等が該当する。
弾性樹脂の使用例としては、純聚脂樹脂に酢酸丁脂、丙二醇甲エーテル酢酸脂、流平剤、分散剤、催干剤、弾性粉、消光剤を加えたものである。主要成分は、表１に示すとおりである。
【表１】
2013070700.tif 000003
【００１６】
この発明に係る弾性樹脂を塗布したシャツハンガーにシャツを掛けた際に、ずり落ちは全く無かった。一方、同じハンガー本体に従来の弾性樹脂（ウレタン樹脂）を同様な方法で塗布し、同じようにシャツを掛けた場合にはずり落ちが見られた。なお、この場合のシャツハンガーの両肩部の傾斜角度は約５２度であり、材料は天然木材である。又、塗布するにあたっては、上記表１の割合で使用した。
ハンガー本体への塗装は静電塗装によっておこなう。
【００１７】
シャツハンガーは上着を掛けるハンガーのことであり、ズボンハンガーとはズボン（パンツ）、スカート等のボトムを掛けるハンガーのことである。又、材料として天然木材を使用すれば塗装した際に適度な重さで手触りのよいハンガー本体を得ることができ、又、プラスチックを使用すればハンガー本体を低コストで生産することができる。
【実施例】
【００１８】
以下、この発明の実施例を図面に基づいて説明する。
図１はこの発明に係る衣類用ハンガーの第一実施例の斜視図、図２は同第二実施例の斜視図、図３は同第三実施例の斜視図、図４は同第四実施例の斜視図、図５は図１におけるＶ−Ｖ線端面図、図６は図２におけるＶI−ＶI線端面図、 図７は図３におけるＶII−ＶII線端面図、図８は図４におけるＶIII−ＶIII線端面図である。
【００１９】
図１において、１０はシャツハンガー（この発明の「衣類用ハンガー」に相当する）であり、１１はそのハンガー本体である。このハンガー本体１１は天然木材（例えば、ロータス材）によって形成されている。１２は前記ハンガー本体１１の基部、１３，１３はこの基部１２の両側から斜め下方に延びている肩部である。この肩部１３，１３の傾斜角度θは約５２度である。このハンガー本体１０にシャツ等の上着を覆いかける。
【００２０】
図１及び図５において、２０は弾性樹脂層であり、前記ハンガー本体１０の周面に形成されている。この弾性樹脂層２０は、例えば、酢酸化合物を含む弾性樹脂を前記ハンガー本体１１の周面にコーティングすることにより形成される。この弾性樹脂の一例として表１に示される成分ものが挙げられる。コーティングは静電塗装によって行われるが、その際の固化剤、希釈剤については上記のとおりである。
【００２１】
３０はフック具であり、前記ハンガー本体１１における前記基部１１の頭面１４の略中心に設置されている。このフック具３０は前記ハンガー本体１１に回転可能（フック具３０の差込部を中心として）な状態で差し込まれ、且つ、従来の手段によって抜け落ち不可能な状態になっている。
【００２２】
次に、４０は掛け止め具であり、前記ハンガー本体１１における前記基部１２の底面の略中心に設置されている。この掛け止め具４０は、前記フック具３０同様、前記ハンガー本体１１に回転可能（掛け止め具４０の差込部を中心として）な状態で差し込まれ、且つ、従来の手段によって抜け落ち不可能な状態になっている。なお、この掛け止め具４０は前記フック具３０とは独立して回転することができる。
【００２３】
又、前記フック具３０の回転軸と前記掛け止め具４０の回転軸は略同一線上であるため、金属線によって一体的に形成すれば、同時に前記ハンガー本体１１へ設置することができるため、組み付けの手間を軽減することができる。
【００２４】
図２において、５０はズボンハンガー（この発明の「衣類用ハンガー」に相当する）であり、５１はそのハンガー本体である。このハンガー本体５１は前記シャツハンガー本体１１同様天然木材によって形成され、使用時においては略水平状に配置される。このハンガー本体５１にズボン等を巻き掛ける。
【００２５】
図２及び図６において、５２は弾性樹脂層であり、前記ハンガー本体５１の周面に形成されている。この弾性樹脂層５２の樹脂及び形成方法は前記シャツハンガー１０の場合と同様である。５３はフック具であり、前記ハンガー本体５１の端面の略中心に設置されている。このフック具５３は前記ハンガー本体５１の端面に差し込み固定され、前記ハンガー本体５１に沿って中心近傍まで湾曲し、そのフック部５４に連なっている。
【００２６】
このズボンハンガー５０の前記フック具５３は、単独で、クローゼット等に掛け止めすることができる他に前記シャツハンガー１１の前記掛け止め具４０に掛け止めすることができる。このズボンハンガー５０を掛け止めした場合、このズボンハンガー５０が前記シャツハンガー本体１１の肩部１３，１３の両肩先よりも上方に位置するように、前記フック具５３は調節されている。
【００２７】
図３において、６０は他のズボンハンガー（この発明の「衣類用ハンガー」に相当する）であり、６１はそのハンガー本体である。このハンガー本体６１は前記シャツハンガー本体１１同様天然木材によって形成され、使用時においては略水平状に配置される。
【００２８】
図３及び図７において、６２は弾性樹脂層であり、前記ハンガー本体６１の周面に形成されている。この弾性樹脂層６２の樹脂及び形成方法は前記シャツハンガー１０の場合と同様である。６３はフック具であり、前記ハンガー本体６１の端面の略中心に設置されている。なお、６４，６４はクリップであり、前記ハンガー本体６１の両端面に取付具６５，６５を介して設置されている。
【００２９】
このクリップ６４，６４によってズボンは挟まれ、吊り下げられる。なお、前記ハンガー本体６１にネクタイ等を巻き掛けることもできる。
【００３０】
図４において、７０は、更に、他のズボンハンガー（この発明の「衣類用ハンガー」に相当する）であり、７１はそのハンガー本体である。このハンガー本体７１は蝶番７２によって開閉可能な一対の挟持部材７３，７３からなっている。このハンガー本体７１も前記シャツハンガー本体１１同様天然木材によって形成され、使用時においては略水平状に配置される。
【００３１】
図４及び８において、７４は弾性樹脂層であり、前記ハンガー本体７１の周面に形成されている。この弾性樹脂層７４の樹脂及び形成方法は前記シャツハンガー１０の場合と同様である。７５はフック具であり、前記蝶番７２に設置されている。なお、前記蝶番７２はロック機構７６によって、前記一対の挟持部材７３，７３の挟持した状態を固定できる。ロック機構７６の作動・解除は前記フック具７５を揺動させることによって行う。前記一対の挟持部材７３，７３によってズボン等を挟み吊り下げることができる。
【００３２】
これらのズボンハンガー６０，７０を前記シャツハンガー１０の掛け止め具４０に掛け止めすることができるが、この場合、このズボンハンガー６０，７０が前記シャツハンガー本体１１の肩部１３，１３の両肩先よりも上方に位置するように、前記フック具６３、７５は調節されている。
【産業上の利用可能性】
【００３３】
この発明に係る衣類用ハンガーは、滑り止め効果が充分であるため、シャツ（衣類）を掛けた際に滑って、シャツが捩れて型崩れしたり、ハンガーからずり落ちたりすることはなく、その上、塗装した表面は滑らかであり、ベルベット状の手触りによってその感触が向上するとともに見た目も向上し、日用品としての使用価値が高まるものである。更に、滑り止めのための突起物がないため、使用者は取扱いがしやすいものである。又、この衣類用ハンガーにあっては、簡易なコーティング作業のみで滑り止め効果を奏することができるため、生産コストを低額化することができ、より多くの消費者に供給することができる。
又、前記ハンガー本体をシャツハンガー本体とズボンハンガー本体とから構成し、前記シャツハンガー本体の中心部底面に掛け止め具を設置し、この掛け止め具に前記ズボンハンガーのフック具を係止可能にすれば、ズボンハンガーが別体であっても、各々を別々に使用することができる以外に、シャツハンガーに掛けた上着類の内側に、ズボンハンガーを配置することができるため、クローゼット等に掛け止めするにあたって、シャツハンガーが必要とする空間のみで間に合う結果、従来よりも場所を採らずに有効に整理しやすい。このように、シャツハンガーとズボンハンガーは各々独立した用途を持ちながら、必要時には全体を一組として有効利用することができる。又、脱衣時において、まず上着を脱ぎシャツハンガーに掛けた後に、ズボン（又はスカート等ボトム）を脱ぐという人の習慣においては、脱いだズボン（又はスカート等ボトム）を別途にズボンハンガーに掛け、このズボンハンガーをシャツハンガーに掛け止めするというこの発明の衣類用ハンガーの利用性は極めて高い。よって、産業上の利用可能性は高いものである。
【図面の簡単な説明】
【００３４】
【図１】図１はこの発明に係る衣類用ハンガーの第一実施例の斜視図である。
【図２】図２は同第二実施例の斜視図である。
【図３】図３は同第三実施例の斜視図である。
【図４】図４は同第四実施例の斜視図である。
【図５】図５は図１におけるＶ−Ｖ線端面図である。
【図６】図６は図２におけるＶI−ＶI線端面図である。
【図７】図７は図３におけるＶII−ＶII線端面図である。
【図８】図８は図４におけるＶIII−ＶIII線端面図である。
【符号の説明】
【００３５】
１０    …    シャツハンガー（衣類用ハンガー）
１１    …    ハンガー本体（シャツハンガーの）
１２    …    基部（ハンガー本体の）
１３    …    肩部（ハンガー本体の）
１４    …    頭面（ハンガー本体の）
２０    …    弾性樹脂層
３０    …    フック具
４０    …    掛け止め具
５０    …    ズボンハンガー（衣類用ハンガー）
５１    …    ハンガー本体（ズボンハンガーの）
５２    …    弾性樹脂層
５３    …    フック具
５４    …    フック部
６０    …    ズボンハンガー（衣類用ハンガー）
６１    …    ハンガー本体（ズボンハンガーの）
６２    …    弾性樹脂層
６３    …    フック具
６４    …    クリップ
６５    …    取付具
７０    …    ズボンハンガー（衣類用ハンガー）
７１    …    ハンガー本体（ズボンハンガーの）
７２    …    蝶番
７３    …    挟持部材
７４    …    弾性樹脂層
７５    …    フック具
７６    …    ロック機構
【図１】
2013070700.tif 000004
【図２】
2013070700.tif 000005
【図３】
2013070700.tif 000006
【図４】
2013070700.tif 000007
【図５】
2013070700.tif 000008
【図６】
2013070700.tif 000009
【図７】
2013070700.tif 000010
【図８】
2013070700.tif 000011